(57)【特許請求の範囲】
【請求項１】
光源部の光が通過する走査部上を画像が記録された写真感光材料を搬送させるフィルムキャリアにおいて、
前記走査部上に装着される基台と、
前記基台上を移動する原稿台と、
前記写真感光材料を保持すると共に、前記原稿台に着脱可能な保持手段と、
前記基台に設けられた駆動源と、
前記原稿台に設けられ、原稿台が所定位置へ移動したとき前記駆動源から駆動力が伝達される第１搬送手段と、
前記保持手段に設けられ、前記第１搬送手段から駆動力を伝達され前記写真感光材料を搬送する第２搬送手段と、
を有することを特徴とするフィルムキャリア。
【請求項２】
前記第１搬送手段が、前記原稿台が所定位置へ移動したとき前記駆動源との衝撃力を緩衝する衝撃緩衝手段を有することを特徴とする請求項１に記載のフィルムキャリヤ。
【請求項３】
前記第１搬送手段が、
前記原稿台に固定された支持部材と、前記支持部材に回転可能に取付けられ、前記原稿台が所定位置へ移動したとき前記駆動源から回転力を付与される第１回転力伝達部材と、で構成され、
前記衝撃緩衝手段が、前記第１回転力伝達部材を前記原稿台の移動方向へスライド可能に支持する支持部と、前記第１回転力伝達部材を前記駆動源側へ付勢する付勢手段と、で構成され、
前記第２搬送手段が、前記保持手段に設けられた従動ローラと、前記保持手段に設けられ前記従動ローラとの間に写真感光材料を挟持搬送する駆動ローラと、前記駆動ローラが取付けられたシャフトに設けられ、前記第１回転力伝達部材から回転力を付与される第２回転力伝達部材と、で構成されたことを特徴とする請求項２に記載のフィルムキャリア。
【請求項４】
光源部の光が通過する走査部上を画像が記録された写真感光材料を搬送させるフィルムキャリアにおいて、
前記走査部上に装着される基台と、
前記基台上を移動する原稿台と、
前記写真感光材料を保持すると共に、前記原稿台に着脱可能な保持手段と、
前記基台に設けられた駆動源と、
前記保持手段に設けられ、前記原稿台が所定位置へ移動したとき前記駆動源から駆動力が伝達され前記写真感光材料を搬送する搬送部と、
を有することを特徴とするフィルムキャリア。
【発明の詳細な説明】
【０００１】
【発明の属する技術分野】
本発明は、画像データを読み取るために、写真感光材料を所定の速度で搬送するフィルムキャリアに関する。
【０００２】
【従来の技術】
写真フィルムに記録されたフィルム画像をＲ、Ｇ、Ｂの各色成分に分解して読取り、読み取られた画像データに対して補正等の画像処理を行った後、記録材料やディスプレイ上へ表示する写真処理装置が提案されている。
【０００３】
この写真処理装置には、長尺或いはシート状の写真フィルムに記録された画像をＣＣＤセンサで精度良く高速で読み取るために、走査部上へ所定の速度で写真フィルムを搬送させるフィルムキャリアが設けられている。
【０００４】
このフィルムキャリアについては、本出願人も多彩なアイデアを提案しているが、オペレータの使い勝手という点から考慮すると、さらに改良の余地もある。
【０００５】
【発明が解決しようとする課題】
本発明は上記事実を考慮し、オペレータの使い勝手を向上させ、煩雑な作業を伴わず、多量の写真感光材料を迅速に精度良く処理できるフィルムキャリアを提供することを課題とする。
【０００６】
【課題を解決するための手段】
請求項１に記載の発明は、走査部上に設置され、画像が記録された写真感光材料を搬送するようになっている。
【０００９】
請求項１に記載の発明では、写真感光材料が保持された保持手段が、原稿台へ装着される。原稿台は、走査部上へ移動して、写真感光材料に記録された画像情報を読取部のラインセンサに読み取らせる。
【００１０】
保持手段には、写真感光材料を搬送する第２搬送手段が設けられており、原稿台上で写真感光材料のコマ送りができるようになっている。この第２搬送手段には、原稿台に設けられた第１搬送手段から駆動力が伝達される。第１搬送手段は、原稿台が所定位置へ移動したとき、基台に設けられた駆動源から駆動力が伝達される。
【００１１】
請求項２に記載の発明では、第１搬送手段が、原稿台が所定位置へ移動したとき駆動源との衝撃力を緩衝する衝撃緩衝手段を有している。このため、駆動源及び第１搬送手段が衝撃力で損傷し難い。
【００１２】
請求項３に記載の発明では、第１搬送手段が、原稿台に固定された支持部材と、支持部材に回転可能に取付けられ、原稿台が所定位置へ移動したとき駆動源から回転力を付与される第１回転力伝達部材と、で構成され、また、衝撃緩衝手段が、第１回転力伝達部材を原稿台の移動方向へスライド可能に支持する支持部と、第１回転力伝達部材を駆動源側へ付勢する付勢手段と、で構成され、さらに、第２搬送手段が、保持手段に設けられた従動ローラと、保持手段に設けられ従動ローラとの間に写真感光材料を挟持搬送する駆動ローラと、駆動ローラが取付けられたシャフトに設けられ、第１回転力伝達部材から回転力を付与される第２回転力伝達部材と、で構成されている。
【００１３】
この構成では、原稿台に固定された支持部材の支持部に、第１回転力伝達部材が回転可能且つ原稿台の移動方向へスライド可能に支持されている。また、第１回転力伝達部材は付勢手段で駆動源側へ付勢されており、駆動源に当接したときスライドして衝撃力が緩衝される。また、駆動源に当接して、第１回転力伝達部材は駆動源から回転力が伝達される。
【００１４】
一方、原稿台に装着された保持手段の従動ローラと駆動ローラが写真感光材料を挟持搬送する。駆動ローラのシャフトには第２回転力伝達部材が設けられており、第１回転力伝達部材から回転力を付与される。これにより、駆動源、第１回転力伝達部材、第２回転力伝達部材の順で回転力が伝達される。
【００１６】
請求項４に記載の発明では、原稿台が所定位置へ移動したとき、保持手段に設けられた搬送部へ、基台に設けられた駆動源から直接駆動力が伝達され、写真感光材料が搬送される。
【００１８】
【発明の実施の形態】
（フィルムキャリアが搭載される画像読取装置の概要）
図１〜図３に示すように、画像読取装置１４は、パソコン１６、マウス２０、２種類のキーボード１２Ａ、１２Ｂ、及びディスプレイ１８が設けられた作業テーブル２２を備えている。
【００１９】
キーボード１２Ａは作業テーブル２２の作業面２２Ｕに埋設され、作業面２２Ｕと面一となっている。また、キーボード１２Ｂは、不使用時には、作業テーブル２２の下面に設けられたＬ字状の受け台２４に収納され、邪魔にならない構成となっている。
【００２０】
そして、キーボード１２Ｂを使用するときは、キーボード１２Ａ上に重ねる。このとき、キーボード１２Ｂのコードは、パソコン１６に接続されたコネクタ１０に接続する。コネクタ１０を作業テーブル２２の前面に配置することで、腰をかがめて、キーボード１２Ｂのコードをパソコン１６に接続する必要がなくなる。なお、作業テーブル２２の前面左側には、システムを立ち上げるスイッチ２６が設けられている。
【００２１】
また、マウス２０のコードは、パソコン１６に接続されたコネクタ２８に接続される。このコネクタ２８は、作業テーブル２２の向かって右側に配置されている。このマウス２０は、作業テーブル２２に凹設された箱部４８に収納される。
図４に示すように、箱部４８の開口は蓋５４で開閉され、この蓋５４の上には、マットＭが敷かれており、通常は見えないようになっている。すなわち、マウス２０を使用するときは、箱部４８からマウス２０を取り出し、コネクタ２８に接続する。なお、箱部４８には、フロッピーデスクや刷毛等の小物が収納できる。
【００２２】
さらに、パソコン１６は、作業テーブル２２の下方に設けられた収納部５６に収納され、邪魔にならないようになっている。また、収納部５６の開口部は、開閉扉５８によって密閉されており、パソコン１６にオペレータの脚等が不用意に触れて、誤作動しないようになっている。この開閉扉５８を前面へ開放することにより、オペレータがパソコン１６へ新たなソフトを簡単にインストールすることができるようになっている。
【００２３】
画像読取装置１４は、ネガフィルムやリバーサルフィルムの写真フィルムなどの写真感光材料（以下単に写真フィルムと称する）に記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。ここでいう、「写真フィルム」とは、被写体を撮影後、現像処理され、ネガ画像又はポジ画像が可視化されたフィルムをいう。
【００２４】
パソコン１６は、画像読取装置１４から出力された画像データが入力されると共に、入力された画像データに対して補正等の画像処理を行って、記録用画像データとして、図示しないレーザプリンタ部へ出力する。
【００２５】
画像読取装置１４の光学系は、作業テーブル２２の下方に配置された光源部３０、作業テーブル２２に支持された拡散ボックス４０、作業テーブル２２にセットされるフィルムキャリア３８、及び作業テーブル２２を挟んで光源部３０の反対側に配置された読取部６０を備えている。
【００２６】
光源部３０は金属製のケーシング６２内に収容されており、ケーシング６２内部には、ハロゲンランプやメタルハライドランプ等から成るランプ３２が配置されている。
【００２７】
ランプ３２の光の一部はリフレクタ６６によって反射され、一定の方向へ射出される。リフレクタ６６の側方には、複数のファン３４、６８が設けられている。ファン３４、６８はランプ３２が点灯している間作動され、ケーシング６２の内部が過熱状態となることを防止する。
【００２８】
また、ケーシング６２の外周面は、図５に示すように、スペーサ（図示省略）を介在させて樹脂製のカバー６４で覆われており、オペレータの足が直接ケーシング６２に触れないようになっている。このカバー６４と、ケーシング６２とで形成される隙間はダクトＤとして利用されている。
【００２９】
すなわち、空気は作業テーブル２２の右側板に形成された吸入口２０４（図３参照）から、ダクトＤを通じてファン３４の脇に開口された吸気口２０６へ案内される。そして、吸気口２０６からファン３４の裏側にある空洞部２０８へ廻り込み、空気フィルター２１０を通じてファン３４で吹き出され、ファン６８を通じて外部へ排出される。また、空気フィルター２１０は、作業テーブル２２の手前側へ引き出し可能とされている。
【００３０】
このように、ダクトＤを利用して空気をファン３４の裏側へ廻り込ませる構成とすることで、ケーシング６２が作業テーブル２２の手前側に出っ張らないので、見栄えが良くなる。
【００３１】
一方、図１〜図３に示すように、リフレクタ６６の光射出側には、リフレクタ６６からの射出光の光軸Ｌに沿って、紫外域及び赤外域の波長の光をカットすることで写真フィルムの温度上昇を防止し読取精度を向上させるＵＶ／ＩＲカットフィルタ７０、ランプ３２からの光及びリフレクタ６６からの射出光の光量を調整する絞り７２、及び読取部６０に到達する光の色成分を、写真フィルムの種類（ネガフィルム／リバーサルフィルム）に応じて適切に設定するバランスフィルタ３６が設けられている。絞り７２は光軸Ｌを挟んで配置された一対の板材から成り、一対の板材が接近離間するようにスライドする。
【００３２】
拡散ボックス４０は、上部になるに従って、フィルムキャリア３８によって搬送される写真フィルムの搬送方向の長さが狭くなり、該搬送方向に直交する方向の長さが広がる形状とされている。
【００３３】
拡散ボックス４０に入射された光は、フィルムキャリア３８（すなわち写真フィルム）に向けて、写真フィルムの幅方向を長手方向とするスリット光とされ、また、光拡散板によって拡散光とされて射出される。このように、拡散ボックス４０から射出される光が拡散光とされることにより、写真フィルムに照射される光の光量むらが低減され、フィルム画像に均一な光量のスリット光が照射されると共に、フィルム画像に傷が付いていたとしても、この傷が目立ちにくくなる。読取部６０のケーシング４４の内部には、上面にラインＣＣＤ７４が取付けられた載置台７６が設けられており、載置台７６からは支持レール７８が複数本垂下されている。
【００３４】
支持レール７８には、縮小・拡大等の変倍のために作業テーブル２２と接近離間する方向Ａにスライド移動可能にレンズユニット５０が支持されている。作業テーブル２２には支持フレーム８０が立設されている。載置台７６は、支持フレーム８０に取り付けられたガイドレール４２に、上記変倍やオートフォーカス時に共役長を確保するために作業テーブル２２と接近離間する方向Ｂにスライド移動可能に支持されている。
【００３５】
レンズユニット５０は複数枚のレンズから成り、複数枚のレンズの間にはレンズ絞り８２が設けられている。この絞り８２により通過する光の光量が変化する。
【００３６】
ラインＣＣＤ７４には、ＣＣＤセル及びフォトダイオード等の光電変換素子が、写真フィルムの幅方向に一列に多数配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。
【００３７】
また、各センシング部の近傍には、多数のＣＣＤセルから成る転送部が各センシング部に対応して各々設けられており、各センシング部の各ＣＣＤセルに蓄積された電荷は、対応する転送部を介して順に転送される。
【００３８】
またラインＣＣＤ７４の光入射側には、ＣＣＤシャッタ５２が設けられている。ＣＣＤシャッタ５２は、暗補正のためにラインＣＣＤ７４に入射される光を遮光する全閉状態、通常の読み取りや明補正のためにラインＣＣＤ７４に光を入射させる全開状態、リニアリティ補正のためにラインＣＣＤ７４に入射される光を減光する減光状態の何れかの状態に切り替わる。
【００３９】
さらに、作業テーブル２２には、写真フィルムを冷却するための冷却風を生成するコンプレッサ９４が配置されている。コンプレッサ９４により生成された冷却風は、案内管８４によりフィルムキャリア３８に案内されて、供給される。これにより、写真フィルムの走査部に位置する領域を冷却することができる。なお、案内管８４は、冷却風の流量を検出する流量センサ９６を貫通している。
【００４０】
ところで、ターレット３６として、図６に示すように、赤光を吸収するシアンフィルタ用のターレット３６Ｃ、緑光を吸収するマゼンタフィルタ用のターレット３６Ｍ、及び青紫光を吸収するイエローフィルタ用のターレット３６Ｙにより構成してもよい。ターレット３６Ｃは、濃度の異なる複数のシアンフィルタ３６Ｃ１、３６Ｃ２、３６Ｃ３が嵌め込まれている。なお、シアンフィルタ３６Ｃ１、３６Ｃ２、３６Ｃ３の順に濃度が濃くなっている。その他のターレット３６Ｍ、３６Ｙも同様の構成となっている。そして、各ターレット３６Ｃ、３６Ｍ、３６Ｙは、各ターレットの選択されたフィルタ各々が光軸Ｌ上で重なるように、回転可能に支持されている。
〔フィルムキャリアの構成〕
図７に示すように、第１形態に係るフィルムキャリア３８の基台１０２の裏面には、ガイド溝１０８及び拡散ボックス４０が入り込む挿入路１１０が形成されており、把手１１２を持って、拡散ボックス４０の両側に設けられたガイドレール１１４へガイド溝１０８を装着することにより、フィルムキャリア３８が作業テーブル２２に位置決めされる（基台１０２のスリット１１６が、光源部３０の光軸Ｌ上に位置する）。このとき、基台１０２の側面に設けられた雄ボールキャッチ１１８が、前壁の雌ボールキャッチ１２０と係合して、フィルムキャリア３８が作業テーブル２２にロックされる。
【００４１】
また、図８及び図９に示すように、基台１０２には、拡散ボックス４０の上方（光源部３０の光軸上）に、写真フィルムＦへスリット光を照射させるスリット１１６が設けられている。このスリット１１６は、底部が開口され頂面角部にテーパー面１１８Ａが設けられたボックス１１８の頂面に形成されている。このボックス１１８の周辺は、カバー１２０が敷き詰められており、また、スリット１１６もガラスＧで段差なく覆われている。この構成により、光源部３０（図２参照）へ異物が落ちない。なお、上記構成では、スリットをガラスで覆うようにしたが、ディフューザーのような半透明板でも、メッシュでもよく、光を透過できる材質であれば特定されない。
【００４２】
一方、スリット１１６の長手方向の両側には、支持台１２２に支持されたガイドシャフト１２４が互いに平行に、且つスリット１１６と直交するように配置されている。このガイドシャフト１２４には、原稿台１２６のブラケット１２７が滑り軸受け１２８を介してスライド可能に支持されている。
【００４３】
一方、ガイドシャフト１２４の外側には、ガイドシャフト１２４と平行に送りねじ１３０が配置されている。この送りねじ１３０の両端部は、ブラケット１３２に旋回可能に支持されている。そして、送りねじ１３０の端部は、カップリング１３４でパルスモーター１３６の駆動軸と直結されている。
【００４４】
また、パルスモーター１３６の駆動軸には、手回しノブ１４０が設けられており、手動で送りねじ１３０を旋回させ、原稿台１２６を移動させることができるようになっている。これにより、メンテナスのときに原稿台１２６を手動で移動させてセンサ位置をチェックできる。
【００４５】
一方、図１０に示すように、ホルダー１４２の側壁には、送りねじ１３０と平行に延びる長ピン１４４の頭部１４４Ａが固定されている。この長ピン１４４は、送りねじ１３０と螺合した固定ナット１４６とバイアスナット１４８を貫通している。
【００４６】
バイアスナット１４８は、長ピン１４４に対してスライド可能とされている。また、固定ナット１４６は、ホルダー１４２の側壁に固定されている。そして、固定ナット１４６とバイアスナット１４８のボス部１４６Ａとボス部１４８Ａには、バイアススプリング１５０が挿着され、固定ナット１４６とバイアスナット１４８を送りねじ１３０の軸方向へ付勢している。これによって、固定ナット１４６及びバイアスナット１４８と送りねじ１３０の歯面が常時接触して、バッククラッシュが解消される。
【００４７】
また、図８に示すように、ホルダー１４２には、略Ｌ字状に屈曲された板ばね１５２の水平部がねじで固定されている。この板ばね１５２の鉛直部は、原稿台１２６の水平片１２６Ａに固定され、板ばね１５２で原稿台１２６とホルダー１４２が連結される。
【００４８】
以上の構成により、送りねじ１３０をパルスモーター１３６で旋回させると、固定ナット１４６とバイアスナット１４８が移動して、原稿台１２６がガイドシャフト１２４に沿ってスライドする。
【００４９】
また、板ばね１５２の復元力で、原稿台１２６と送りねじ１３０の位置関係（原稿台１２６が光軸Ｌに対して水平面及び鉛直面内において平行に移動する）が一定に保持されるので、原稿台１２６とホルダー１４２を連結するときに細かい調整をしなくてもアライメントが合う。
【００５０】
一方、図１１に示すように、原稿台１２６には、マスク１５４がセットされる装着部１５６が、マスク１５４の形状に合わせて凹設されている。装着部１５６の中央部には、開口部１５７が形成されており、この開口部１５７を通じて、マスク１５４にセットされた写真フィルムＦにスリット１１６からスリット光が照射される。
【００５１】
また、図１２及び図１３に示すように、マスク１５４には、圧着板１５８が傾倒可能に軸支され、マスク１５４との間に写真フィルムＦを挟持するようになっている。圧着板１５８の端部には、吸着板１６０が設けられており、原稿台１２６に設けられたソレノイド１６２に吸着され、マスク１５４が原稿台１５８に正確にセットされる。
【００５２】
さらに、マスク１５４には、押え板１６４が傾倒可能に軸支され、吸着板１６６が原稿台１２６に設けられたマグネット１６８に吸着され、閉じた状態で保持される。押え板１６４の裏面には、軸板１７２が設けられている。この軸板１７２には、ゴム製の従動ローラー１７０が取付けられたシャフト１７４が軸支されている。また、シャフト１７４の中央部には、送りローラ１７６が配置されている。
【００５３】
一方、従動ローラー１７０とニップするように、マスク１５４の上面には、駆動ローラー１７８の上面が露出している。駆動ローラー１７８は、マスク１５４の裏面に軸支されたローラーシャフト１８０に取付けられている。ローラーシャフト１８０の端部には、伝達ギア１８２が設けられている。この伝達ギア１８２は、基台１０２側に設けられた駆動ギア１８４と、原稿台１２６の原点位置で噛み合うようになっている。
【００５４】
このような構成により、原稿台１２６が原点位置に戻ったとき、写真フィルムを従動ローラー１７０、駆動ローラー１７８、送りローラ１７６でコマ送りすることができる。
【００５５】
図１４及び図１５に示すように、駆動ギア１８４は、Ｌ型のブラケット１８６（図８参照）に回転可能に軸支されている。ブラケット１８６には、モータ１８８が取付けられており、駆動軸１９０に固定されたモータギア１９２が、駆動ギア１８４と噛み合っている。
【００５６】
また、ブラケット１８６の基面には、送りねじ１３０と平行に長孔１９４が形成されている。この長孔１９４には、基台１０２に固定されたガイド板１９６から立設するピン１９８が貫通している。
【００５７】
このピン１９８の頭部には、スプリング２００の一端が連結され、スプリング２００の他端は、ブラケット１８６の基面に突設されたフック２０２に掛けられ、伝達ギア１８２が駆動ギア１８４と噛み合っていないとき、スプリング２００は自由状態にある。
【００５８】
このような構成において、原稿台１２６が原点位置に戻ったとき、すなわち、図１４に示す矢印Ｃ方向から移動してくる伝達ギア１８２が駆動ギア１８４に衝突したとき、ブラケット１８６が矢印Ｃ方向にスライドして、衝撃力を吸収する。このため、伝達ギア１８２と駆動ギア１８４の歯面が損傷しにくい。なお、上記構成では、駆動力を伝達するものとしてギアを採用したが、ゴムローラ等を圧着させ、駆動力を伝達してもよい。
【００５９】
また、原稿台１２６の原点位置は、板片１２７Ａがフォトインタラクタ２１４を遮ったときであり、原稿台１２６の戻り位置は、パルスモーター１３６をパスル数で制御する。
【００６０】
さらに、図１１、１３に示すように、マスク１５４の裏面には、凹み２１６が形成されている。この凹み２１６の無い部分が、マスク１５４が原稿台１２６にセットされたとき、原稿台１２６に配列された何れかのボタンスイッチ２１８（５ビットのセンサ）を押して、マスク１５４の開口サイズを判断させる。
【００６１】
上記構成のフィルムキャリア３８では、長巻きのブローニー等の写真フィルムＦがマスク１５４と圧着板１５８との間に挟持され、原稿台１２６を図９に示す矢印Ｄ方向に移動することにより、プレスキャンを行い、矢印Ｄと反対方向に移動するときに、ファインスキャンするようになっている。
【００６２】
詳細には、先ず、原稿台１２６を原点位置に戻し、スリガラスＧの上に引かれたシャーカス線を基準として、写真フィルムの先頭の画像コマをマスク１５４に位置決めする。
【００６３】
この状態で、原稿台１２６をスリット１１６上を通過させてプレスキャンを行い、戻るときにファインスキャンを行う。次に、原稿台１２６を原点位置に戻し、駆動ギア１８４から駆動力を得て、マスク１５４に配置された従動ローラー１７０と駆動ローラー１７８で、写真フィルムをコマ送りする。
【００６４】
次に、原稿台１２６をスリット１１６上を往復移動させ、上述したようにプレスキャンとファインスキャンを行い、再度、コマ送りを繰り返す。
【００６５】
このように、マスク１５４に従動ローラー１７０と駆動ローラー１７８を設けることで、自動的に写真フィルムのコマ送りができる。なお、最後のコマは、写真フィルムの後端部が従動ローラー１７０と駆動ローラー１７８から離れるので、シャーカス線で位置決めする必要がある。
【００６６】
また、従動ローラー１７０と駆動ローラー１７８を利用して、写真フィルムをスリット１１６上に全て送り出し、プレスキャンして全コマの画像データを取り込むことができる。これにより、例えば、連続したシーンを同じ濃度で仕上げることができる。
【００６７】
次に、第２形態に係るフィルムキャリアを説明する。なお、第１形態と同一部材は同一符号を付すことにする。
【００６８】
図１６及び図１７に示すように、本形態では、シャフト１７４の中央部分にゴム製の従動ローラ２４２が取付けられている。そして、従動ローラ２４２との間に写真フィルムのエッジ部を挟持搬送できる位置に、マスク１５４から駆動ローラ２４４の上面が露出している。
【００６９】
この駆動ローラー２４４は、マスク１５４の裏面に軸支されたローラーシャフト１８０に取付けられている。ローラーシャフト１８０の端部には、伝達ローラ２４６が取付けられている。この伝達ローラ２４６は、後述する駆動ローラ２４８に圧着され、回転力が伝達される。
【００７０】
図１８及び図１９に示すように、原稿台１２６の裏面には、平面視にてコ字状のブラケット２５０がネジで固定されている。このブラケット２５０の腕部２５２の芯部には、長手方向に沿って収納部２５４が形成されている。この収納部２５４には、圧縮バネ２５６が収納されている。
【００７１】
また、腕部２５２の先端部には、長穴２５８が形成されている、この長穴２５８には、シャフト２６０の両端部が回転可能且つスライド可能に支持されている。このシャフト２６０の中央部には、駆動ローラ２４８が固定されている。そして、シャフト２６０を長穴２５８の左端部へ付勢する圧縮バネ２５６によって、駆動ローラ２４８が伝達ローラ２４６を圧着している。
【００７２】
また、シャフト２６０には、駆動ギア２６２が固定されている。駆動ギア２６２は、原稿台１２６が原点位置に戻ったとき、基台１０２に固定されたＬ型の取付台２６６へ回転可能に軸支された中間ギア２６４と噛み合い可能な位置にある。
【００７３】
さらに、取付台２６６には、モータ１９２が取付けられており、駆動軸１９０に固定されたモータギア２６８が、中間ギア２６４と噛み合っている。
【００７４】
このような構成において、原稿台１２６が原点位置に戻ったとき、すなわち、図１９に示す矢印Ｃ方向へ移動してくる駆動ギア２６２が中間ギア２６４に衝突したとき、シャフト２６０が矢印Ｃと反対方向にスライドして、衝撃力を吸収する。
【００７５】
このように、本形態では、第１形態と異なり原稿台１２６に設けた駆動ギア２６２に衝撃力緩衝機能を持たせ、また、衝撃力を緩衝する圧縮バネ２５６のバネ力を利用して駆動ローラ２４８と伝達ローラ２４６を圧着させることで部品点数を削減している。なお、この構成においても、中間ギア２６４と駆動ギア２６２をゴムローラとしてもよい。
【００７６】
【発明の効果】
本発明は上記構成としたので、圧着板を開いて写真フィルムのコマ送りする必要がなくなる。また、駆動源と回転力伝達部材が当接する時の衝撃力を吸収することができる。さらに、走査部に誤って異物が落ちるようなことがない。
【図面の簡単な説明】
【図１】第１形態に係るフィルムキャリアが取付けられる画像読取装置の外観図である。
【図２】第１形態に係るフィルムキャリアが取付けられる画像読取装置の光学系の正面断面図である。
【図３】第１形態に係るフィルムキャリアが取付けられる画像読取装置の光学系の側面断面図である。
【図４】画像読取装置の作業テーブルに設けられた小物入れを示す要部斜視図である。
【図５】画像読取装置の光源部の冷却風の流れを示す平面断面図である。
【図６】ターレットの変形例を示す図である。
【図７】第１形態に係るフィルムキャリアと装着部との関係を示す斜視図である。
【図８】第１形態に係るフィルムキャリアの分解斜視図である。
【図９】第１形態に係るフィルムキャリアの斜視図である。
【図１０】第１形態に係るフィルムキャリアの搬送機構を示す側面図である。
【図１１】第１形態に係るフィルムキャリアのマスクと圧着板との関係を示す分解斜視図である。
【図１２】第１形態に係るフィルムキャリアのマスクと圧着板を示す斜視図である。
【図１３】第１形態に係るフィルムキャリアの押え板のローラを示す断面図である。
【図１４】第１形態に係るフィルムキャリアの駆動ギアの衝撃吸収機構を示す側面断面図である。
【図１５】第１形態に係るフィルムキャリアの駆動ギアの衝撃吸収機構を示す平面断面図である。
【図１６】第２形態に係るフィルムキャリアのマスクと圧着板を示す斜視図である。
【図１７】第２形態に係るフィルムキャリアの従動ローラ、駆動ローラとの関係を示す断面図である。
【図１８】第２形態に係るフィルムキャリアの駆動ギアの衝撃吸収機構を示す平面断面図である。
【図１９】第２形態に係るフィルムキャリアの駆動ギアの衝撃吸収機構を示す側面断面図である。
【符号の説明】
１０２    基台
１２０    カバー
１２４    ガイドシャフト（移動手段）
１２６    原稿台
１３０    送りねじ（移動手段）
１４０    手回しノブ
１４６    固定ナット（移動手段、ナット）
１４８    バイアスナット（移動手段、ナット）
１５０    バイアススプリング
１５４    マスク（保持手段）
１５８    圧着板（保持手段）
１５２    板ばね
１６４    押え板（搬送手段、第２搬送手段、搬送部）
１７０    従動ローラ（搬送手段、第２搬送手段、搬送部）
１７８    駆動ローラ（搬送手段、第１搬送手段、搬送部）
１８２    伝達ギア（搬送手段、第１搬送手段、搬送部）
１８４    駆動ギア（搬送手段、第１搬送手段、搬送部）
１８６    ブラケット（衝撃緩衝手段）
１９２    モータ（駆動源）
１９４    長孔（衝撃緩衝手段）
１９８    ピン（衝撃緩衝手段）
２００    スプリング（衝撃緩衝手段）
２４２    従動ローラ（第１搬送手段）
２４４    駆動ローラ（第１搬送手段）
２４６    伝達ローラ（第２搬送手段、第２回転力伝達部材）
２４８    駆動ローラ（第２搬送手段）
２５０    ブラケット（支持部材）
２５２    腕部（支持部）
２５８    長穴（支持部）
２５６    圧縮バネ（付勢手段）
２６２    駆動ギア（第１回転力伝達部材）
Ｇ        ガラス（透光性平板）
【図１】
0003903084.tif 000002
【図２】
0003903084.tif 000003
【図３】
0003903084.tif 000004
【図４】
0003903084.tif 000005
【図５】
0003903084.tif 000006
【図６】
0003903084.tif 000007
【図７】
0003903084.tif 000008
【図８】
0003903084.tif 000009
【図９】
0003903084.tif 000010
【図１０】
0003903084.tif 000011
【図１１】
0003903084.tif 000012
【図１２】
0003903084.tif 000013
【図１３】
0003903084.tif 000014
【図１４】
0003903084.tif 000015
【図１５】
0003903084.tif 000016
【図１６】
0003903084.tif 000017
【図１７】
0003903084.tif 000018
【図１８】
0003903084.tif 000019
【図１９】
0003903084.tif 000020